(57)【要約】      （修正有）【課題】縦長のひだやフレアが多数形成されたかの様な外観を呈し得ると共に生産効率の向上及び低廉化を図ることができ、しかも、イラスト、ロゴ等を途切れなく大きく描くことができるコック用の帽子を提供する。【解決手段】コック用の帽子１は、不織布製シート２が捲かれてなる帽胴部３と、帽胴部３の下縁部に一体的に形成され且つ当該下縁部から折り返されて帽胴部３の外面下部に重ね合わされた円環帯状の帽帯部６とを具備しており、帽胴部３の露呈外面１３には、円周方向Ａにおいて互いに並んだ複数の縦長の陰影画１４・・・が描かれている。【選択図】図１
0003182685.tif 000002
【実用新案登録請求の範囲】
【請求項１】
矩形状の不織布製シートが捲かれてなる円筒状の帽胴部と、この帽胴部の下縁部に一体的に形成され且つ当該下縁部から折り返されて前記帽胴部の外面下部に重ね合わされた円環帯状の帽帯部とを具備しており、前記帽胴部の露呈外面には、円周方向において互いに並んだ複数の縦長の陰影画が描かれていることを特徴とするコック用の帽子。
【請求項２】
請求項１に記載のコック用の帽子において、前記複数の陰影画は、三角形状又は矩形状であることを特徴とするコック用の帽子。
【請求項３】
請求項１又は請求項２に記載のコック用の帽子において、前記複数の陰影画の夫々は、円周方向において明部から暗部まで漸次的に階調変化されていることを特徴とするコック用の帽子。
【請求項４】
請求項１から請求項３のいずれか一項に記載のコック用の帽子において、前記帽胴部及び前記帽帯部の円周方向における一端部は、前記帽胴部の円周方向における他端部と前記帽帯部の円周方向における他端部とによって挟持されていることを特徴とするコック用の帽子。
【請求項５】
矩形状の不織布製シートからなる帽胴部及びこの帽胴部の下縁部に一体的に形成され且つ当該下縁部から折り返されて前記帽胴部の外面下部に重ね合わされた帯状の帽帯部を有していると共に、三つ折状に折り畳まれており、前記帽胴部の露呈外面には、横方向において互いに並んだ複数の縦長の陰影画が描かれていることを特徴とするコック用の帽子形成シート。
【請求項６】
矩形状の不織布製シートからなる帽胴部と、この帽胴部の下縁部に一体的に形成された帯状の帽帯部とを具備しており、前記帽胴部の露呈外面には、横方向において互いに並んだ複数の縦長の陰影画が描かれていることを特徴とするコック用の帽子形成シート。
【請求項７】
矩形状の帽胴部及びこの帽胴部の下縁部に一体的に形成された帯状の帽帯部を有している長尺の不織布製シートが捲かれてなり、前記不織布製シートには、その長手方向における一定の間隔ごとに当該長手方向に直交する方向に延びたミシン目が形成されており、前記帽胴部の外面には、長手方向において互いに並んだ複数の縦長の陰影画が描かれていることを特徴とするコック用の帽子形成ロール体。
【考案の詳細な説明】
【技術分野】
【０００１】
本考案は、専ら調理時においてこれに携わるコック（料理人）等が着用する不織布製のコック用の帽子並びにこれを形成するためのコック用の帽子形成シート及びコック用の帽子形成ロール体に関する。
【背景技術】
【０００２】
近年においては、繊維シートを糸の形態を経ずに機械的・化学的・熱的に処理し、接着剤や繊維自身の融着力で接合して製造されるいわゆる不織布を用いて形成された帽子が知られている。
【０００３】
このような帽子としては、例えば、頭部の周囲に被せられる扁平な環状体と、頭部の頂部側を被う被い体とによって構成された不織布製のコック用の帽子が提案されている（特許文献１参照）。被い体は、縦長の扁平中空胴部と、この扁平中空胴部の上部側を被う扁平天井部とによって形成されている。扁平中空胴部の下部は、環状体の内面側に取付けられている。扁平中空胴部は、環状体から上方に突出されて帽子形態に構成されている。被い体の扁平中空胴部は、胴部シート部材によって形成されている。被い体の扁平天井部は、天井部シート部材によって形成されている。胴部シート部材は、扁平中空胴部の縦幅となる縦幅を有した不織布製の帯状シート材によって構成されている。帯状シート材のシート表面側には、縦幅方向に延びる縦長のひだが一定間隔で平行に多数形成されてある。
【０００４】
また、例えば、帽胴シート、締帯シート及び天板によって構成されたフリーサイズコック帽（帽子）が提案されている（特許文献２参照）。帽胴シートは、方形状の不織布シートが捲かれてなり、コック帽の帽胴を構成している。締帯シートは、方形状の不織布シートが折り畳まれてなり、帯状の外帯部と内帯部とを構成している。天板は、長方形状の不織布シートによって構成されている。帽胴シートには、等間隔に配されたフレアが多数形成してある。
【先行技術文献】
【特許文献】
【０００５】
【特許文献１】特開２００４−１９０１７号公報
【特許文献２】特開２００１−１５９０２０号公報
【考案の概要】
【考案が解決しようとする課題】
【０００６】
ところで、斯かる特許文献１及び特許文献２に記載の帽子では、帯状シート材や帽胴シートに縦長のひだやフレアを多数形成するために生産工程が繁雑であり、帽子の生産効率の向上及び低廉化を図り難い。
また、帽子の生産効率の向上及び低廉化を図るために、縦長のひだやフレアの構成を省いた場合には、コック用の帽子としての外観を損なってしまう虞がある。
【０００７】
加えて、特許文献１及び特許文献２に記載の帽子では、縦長のひだやフレアの多数形成によって帯状シート材や帽胴シートに多数の段部が生じてしまう結果、イラスト、ロゴ等を途切れなく描くことが困難である。このため、そのようなイラストやロゴなどは、ひだやフレアが設けられていない偏平な環状体や帯状の外帯部といった幅の狭い領域に描かれることになるが、領域が限られていることから描かれる大きさが制限されるという問題がある。
【０００８】
本考案の目的は、縦長のひだやフレアが多数形成されたかの様な外観を呈し得ると共に、生産効率の向上及び低廉化を図ることができ、かつ途切れのないイラスト、ロゴ等をより大きく描くことができるコック用の帽子並びにこれを形成するためのコック用の帽子形成シート及びコック用の帽子形成ロール体を提供することにある。
【課題を解決するための手段】
【０００９】
本考案のコック用の帽子は、矩形状の不織布製シートが捲かれてなる円筒状の帽胴部と、この帽胴部の下縁部に一体的に形成され且つ当該下縁部から折り返されて前記帽胴部の外面下部に重ね合わされた円環帯状の帽帯部とを具備しており、前記帽胴部の露呈外面には、円周方向において互いに並んだ複数の縦長の陰影画が描かれていることを特徴とする。
【００１０】
本考案のコック用の帽子によれば、特に、帽胴部の露呈外面には、円周方向において互いに並んだ複数の縦長の陰影画が描かれているために、縦長のひだやフレアが多数形成されたかの様な外観を呈することができる。また、陰影画が描かれることにより、縦長のひだやフレアを形成する必要をなくすことができて、生産効率の向上及び低廉化を図ることができる。加えて、ひだやフレアが存在しない本考案での帽胴部の露呈外面は、従来の環状体や外帯部よりも格段に大きい領域を有することから、例えばイラストやロゴ等を途切れなく大きく描くことができる。
【００１１】
本考案のコック用の帽子では、前記複数の陰影画は、三角形状又は矩形状であることが好ましい。
この考案のコック用の帽子によれば、複数の陰影画が三角形状であるから、上方に向かって先細りの縦長のひだやフレアが多数形成されたかの様な外観を呈することができる。また、複数の陰影画が矩形状である場合には、帽帯部側から上方に向かって同幅の縦長のひだやフレアが多数形成されたかの様な外観を呈することができる。
【００１２】
本考案のコック用の帽子では、前記複数の陰影画の夫々は、円周方向において明部から暗部まで漸次的に階調変化されていることが好ましい。
この考案のコック用の帽子によれば、立体感をもった縦長のひだやフレアが多数形成されたかの様な外観を呈することができる。
【００１３】
本考案のコック用の帽子では、前記帽胴部及び前記帽帯部の円周方向における一端部は、前記帽胴部の円周方向における他端部と前記帽帯部の円周方向における他端部とによって挟持されていることが好ましい。
この考案のコック用の帽子によれば、素材が不織布であることから、帽胴部及び帽帯部の一端部が帽胴部の他端部及び帽帯部の他端部間から容易に抜出されない程度の摩擦を生じさせることができる。一方、帽子の両端部の重なり幅を調整することで、帽子の径を適宜変更することも可能である。
【００１４】
本考案のコック用の帽子形成シートは、矩形状の不織布製シートからなる帽胴部及びこの帽胴部の下縁部に一体的に形成され且つ当該下縁部から折り返されて前記帽胴部の外面下部に重ね合わされた帯状の帽帯部を有していると共に、三つ折状に折り畳まれており、前記帽胴部の露呈外面には、横方向において互いに並んだ複数の縦長の陰影画が描かれていることを特徴とする。
また、本考案のコック用の帽子形成シートは、矩形状の不織布製シートからなる帽胴部と、この帽胴部の下縁部に一体的に形成された帯状の帽帯部とを具備しており、前記帽胴部の露呈外面には、横方向において互いに並んだ複数の縦長の陰影画が描かれていることを特徴とする。
本考案の帽子形成シートによれば、前述のコック用の帽子と同様の効果を奏し得る上に、コンパクトな状態にできて運搬、保管に好適であり、シートをまとめて流通させるのに便利である。
【００１５】
本考案のコック用の帽子形成ロール体は、矩形状の帽胴部及びこの帽胴部の下縁部に一体的に形成された帯状の帽帯部を有している長尺の不織布製シートが捲かれてなり、前記不織布製シートには、その長手方向における一定の間隔ごとに当該長手方向に直交する方向に延びたミシン目が形成されており、前記帽胴部の外面には、長手方向において互いに並んだ複数の縦長の陰影画が描かれていることを特徴とする。
本考案の帽子形成ロール体によれば、前述のコック用の帽子と同様の効果を奏し得る上に、実質的に大量の不織布製シートをコンパクトな状態で運搬、保管でき、不織布製シートをまとめて流通させるのに便利である。
また、本考案の帽子形成ロール体によれば、不織布製シートに捲き癖をつけることができ、これにより、円筒状の帽子を簡単に形成できる。
【考案の効果】
【００１６】
本考案によれば、縦長のひだやフレアが多数形成されたかの様な外観を呈し得ると共に、生産効率の向上及び低廉化を図ることができ、かつ途切れのないイラスト、ロゴ等をより大きく描くことができるコック用の帽子並びにこれを形成するためのコック用の帽子形成シート及びコック用の帽子形成ロール体を提供できる。
【図面の簡単な説明】
【００１７】
【図１】本考案の第１実施形態に係る帽子を示す斜視図。
【図２】第１実施形態に係る帽子の要部を一部断面して示す斜視図。
【図３】第１実施形態に係る帽子を示す展開図。
【図４】本考案の第２実施形態に係る帽子形成シートを示す斜視図。
【図５】本考案の第４実施形態の帽子形成ロール体を示す斜視図。
【図６】本考案の変形例を示す展開図。
【考案を実施するための形態】
【００１８】
〔第１実施形態〕
以下、本考案の実施の一形態を図面に基づいて説明する。
図１から図３において、本例の不織布製のコック用の帽子１は、円筒状の帽胴部３と、円環帯状の帽帯部６とを具備している。帽胴部３は、矩形状の不織布製シート２が捲かれることで形成されている。帽帯部６は、帽胴部３の下縁部４に一体的に形成され且つ下縁部４から折り返されて帽胴部３の外面下部５に重ね合わされている。帽子１の円周方向Ａにおける端部７及び端部８は互いに連結されている。
【００１９】
図３に示すように一枚の平坦な不織布製シート２は、横方向Ｘに長く且つ可撓性を有している。不織布製シート２は、図１に示すように円筒状に捲かれることによって帽胴部３及び帽帯部６を形成している。
【００２０】
帽胴部３は、平面視において楕円形状の外面１１及び内面１２を有している。外面１１は、上述の外面下部５と外面下部５よりも天側で露呈している露呈外面１３とによって構成されている。内面１２は、帽子１をかぶった者の頭部（図示せず）に接する。
【００２１】
帽胴部３の露呈外面１３には、円周方向Ａにおいて間隔を空けて互いに並んだ複数の縦長の陰影画１４・・・が印刷されている。陰影画１４・・・は、本例では、夫々互いに同形状に三角形状に形成されている。陰影画１４・・・の夫々の円周方向Ａにおける間隔は、本例では等間隔である。なお、陰影画１４・・・の夫々には、本例では陰影画１４・・・の外形を形づくる輪郭線が描かれているが、この輪郭線の構成は図面を見易くするためであり、省かれてもよい。
【００２２】
陰影画１４・・・の夫々は、円周方向Ａにおいて明部１５から暗部１６まで漸次的に階調変化されていてもよい。この階調変化は、明部１５に複数の小さな点（ドット）を印刷する一方、暗部１６に複数の大きな点を印刷することによって表現されていてもよい。また、この階調変化は、明部１５から暗部１６に向かって印刷する点の数を漸増させることによって表現されていてもよい。更にまた、この階調変化は、明部１５に淡い色の複数の点を印刷する一方、暗部１６に濃い色の複数の点を印刷することによって表現されていてもよい。加えて、この階調変化は、前述の各表現を適宜組み合わせることによって表現されてもよい。
【００２３】
帽帯部６は、不織布製シート２が図３に示す横方向Ｘに沿った一点鎖線で示す谷折り部２０において帽胴部３に対して折り返された円環帯状の部分からなる。帽帯部６は、横方向Ｘにおいて帽胴部３と同長である一方、横方向Ｘに直交する縦方向Ｙにおいて帽胴部３よりも短い。
【００２４】
斯かる帽子１には、本例ではその前側及び後側において、図３の縦方向Ｙに沿った一点鎖線で示す山折り部２３及び山折り部２４にならって山折りされてなる折り目２５及び折り目２６がある。
【００２５】
端部７及び端部８は、互いに重ね合わされて連結されている。端部７には、帽胴部３の下部３１の円周方向Ａにおける一端部３２が配されている。端部７には、帽帯部６の円周方向Ａにおける一端部３３が配されている。端部８には、帽胴部３の下部３１の円周方向Ａにおける他端部３４が配されている。端部８には、帽帯部６の円周方向Ａにおける他端部３５が配されている。一端部３２及び一端部３３は、他端部３４と他端部３５とによって形成された折り返し溝３８に差し込まれている。
【００２６】
これにより、一端部３２及び一端部３３は、他端部３４と他端部３５とによって挟持される。一端部３２及び一端部３３は、径方向の厚みを有しており且つ不織布製シート２の表面がざらついているので、他端部３４と他端部３５から容易に抜出されない程度の摩擦が生じる。帽子１の径は、端部７と端部８との重なり幅を調整することによって適宜変更可能である。符号３６は、帽子１の円周方向Ａにおける一方の端縁である。符号３７は、帽子１の円周方向Ａにおける他方の端縁である。
【００２７】
帽子１を形成する場合には、まず、図３に示す状態にある不織布製シート２を谷折り部２０に沿って谷折りして折り返し溝３８を作り、次いで、山折り部２３及び山折り部２４を順に山折りし、最後に端部７を端部８の折り返し溝３８に差し込む。このようにして帽子１を形成する。
【００２８】
以上の帽子１によれば、特に、帽胴部３の露呈外面１３には、円周方向Ａにおいて互いに並んだ複数の縦長の陰影画１４・・・が描かれているために、縦長のひだやフレアが多数形成されたかの様な外観を呈することができる。また、帽子１によれば、陰影画１４・・・が描かれることにより縦長のひだやフレアを形成する必要をなくすことができて、生産効率の向上及び低廉化を図ることができる。加えて、帽子１によれば、大きな領域からなる帽胴部３の露呈外面１３を平坦に形成することができて、例えばイラスト、ロゴ等を途切れなく大きく描くことができる。その上、帽子１によれば、塗り絵用の図柄等を印刷しておくことで、塗り絵を楽しむことができる。
【００２９】
また、帽子１によれば、複数の陰影画１４・・・が三角形状であるため、天に向かって先細りの縦長のひだやフレアが多数形成されたかの様な外観を呈することができる。
【００３０】
帽子１によれば、複数の陰影画１４・・・の夫々は、円周方向Ａにおいて明部１５から暗部１６まで漸次的に階調変化されているので、立体感をもった縦長のひだやフレアが多数形成されたかの様な外観を呈することができる。
【００３１】
帽子１においては、帽胴部３及び帽帯部６の円周方向Ａにおける一端部３２及び一端部３３は、帽胴部３の円周方向Ａにおける他端部３４と帽帯部６の円周方向Ａにおける他端部３５とによって挟持されている。このような構成を具備した帽子１によれば、帽胴部３及び帽帯部６の一端部３２及び一端部３３が帽胴部３の他端部３４及び帽帯部６の他端部３５間から容易に抜出されない程度の摩擦を生じさせることができる。一方、この帽子１によれば、帽子１の端部７及び端部８の円周方向Ａにおける重なり幅を調整することによって帽子の径を適宜変更することができる。
【００３２】
〔第２実施形態〕
図４において、帽子１を形成するための本例の不織布製のコック用の帽子形成シート４０は、帽子１が三つ折状に平坦に折り畳まれた形状のものである。
【００３３】
帽子形成シート４０は、矩形状の不織布製シート２からなる帽胴部３及び帽胴部３の下縁部４に一体的に形成され且つ当該下縁部４から折り返されて帽胴部３の外面下部５に重ね合わされた帯状の帽帯部６を有していると共に、三つ折状に折り畳まれている。
【００３４】
帽子形成シート４０においても、帽胴部３の露呈外面１３には、横方向Ｘにおいて互いに並んだ複数の縦長の陰影画１４・・・が印刷されており、斯かる点においては、帽子１と同様に構成されているのでその詳細な説明を省略する。
【００３５】
帽子形成シート４０は、販売形態として好適なものであり、使用に際しては、前述同様に端部７を端部８の折り返し溝３８に差し込み、全体形状を円筒状に整える。これにより帽子１を形成することができる。
【００３６】
以上の帽子形成シート４０によれば、帽子１と同様の効果を奏し得る上に、コンパクトな状態にできて運搬、保管することができ、多数枚のシートをまとめて流通させるのに便利である。
【００３７】
〔第３実施形態〕
本考案の第３実施形態に係る帽子形成シート４１は、図３に示す複数の陰影画１４・・・が描かれた不織布製シート２の状態で流通されるものであり、図４に示す第２実施形態とは異なって折られていない。このような帽子形成シート４１も、帽子１の販売形態として好適なものである。この場合、谷折り部２０、山折り部２３及び山折り部２４のうちの少なくとも一つは、目視可能な実線で帽子形成シート４１に描かれることが望ましい。谷折り部２０を示す実線は、帽子１としたときに露出しないように、谷折りされた際に谷側となる外面１１に描かれる。山折り部２３及び山折り部２４の夫々を示す実線は、好ましくは、帽子１としたときに露出しないように、山折りされた際に谷側となる内面１２に描かれる。
【００３８】
帽子形成シート４１もまた、帽子１と同様の効果を奏し得る上に、コンパクトな状態にできて運搬、保管することができ、多数枚のシートをまとめて流通させるのに便利である。
【００３９】
〔第４実施形態〕
図５において、帽子１を形成するための本例の不織布製のコック用の帽子形成ロール体５０は、矩形状の帽胴部３及び帽胴部３の下縁部４に一体的に形成された帯状の帽帯部６を有している長尺の不織布製シート５１が捲かれてなる。
【００４０】
不織布製シート５１には、その長手方向における一定の間隔ごとに当該長手方向に直交する方向に延びた切取り用の点線状の孔、換言すれば、ミシン目５２が形成されている。
【００４１】
不織布製シート５１は、複数の不織布製シート２が横方向Ｘにおいて一体形成されて連続的に長手方向に延びてなるものである。従って、不織布製シート５１がミシン目５２において帽子形成ロール体５０から切取られた部分が、一枚の不織布製シート２として形成される。
【００４２】
不織布製シート５１には、図５に示すように、長手方向に延びた谷折り部２０が目視可能な実線で描かれている。先に述べた山折り部２３及び山折り部２４（共に図３参照）のうちの少なくとも一つもまた、目視可能な実線で不織布製シート５１に描かれていてもよい。
【００４３】
帽子形成ロール体５０においても、帽胴部３の外面１１には、長手方向において互いに並んだ複数の縦長の陰影画１４・・・が印刷されており、斯かる事項においては、帽子１と同様であるのでその詳細な説明を省略する。
【００４４】
帽子形成ロール体５０もまた、販売形態として好適なものであり、使用に際しては、帽子形成ロール体５０の長尺の不織布製シート５１をミシン目５２で切取って一枚の不織布製シート２を形成する。その後は、前述同様にしてこの不織布製シート２から帽子１を形成することができる。
【００４５】
以上の帽子形成ロール体５０によれば、帽子１と同様の効果を奏し得る上に、実質的に大量の不織布製シート２をコンパクトな状態で運搬、保管でき、不織布製シートが散けることなく、まとめて流通させるのに便利である。
加えて、帽子形成ロール体５０によれば、不織布製シート５１に捲き癖がついているために、円筒状の帽子を簡単に形成することができる。
【００４６】
〔変形例〕
なお、本考案は、前述の実施形態に限定されるものではなく、本考案の目的を達成できる範囲での変形、改良等は本考案に含まれるものである。
例えば、陰影画１４・・・の夫々は、図６に示すように矩形状に形成されていてもよい。この場合、帽帯部６側から上方に向かって同幅の縦長のひだやフレアが多数形成されたかの様な外観を呈することができる。また、陰影画１４・・・は、縦長の楕円形状であっても、多角形状であってもよい。陰影画１４・・・は、夫々互いに異なる形状であってもよい。陰影画１４・・・は、波線状の部分を有していてもよい。
陰影画１４・・・の円周方向Ａにおける間隔は、前述では等間隔であるが、これに限定されず、例えば前側から後側に向かって漸増又は漸減した間隔等の所定の規則性をもって変化した間隔であってもよい。
【００４７】
帽子１の折り目２５及び折り目２６の構成は省かれてもよい。斯かる場合、帽胴部３には、屈曲した部分が形成されないので、平面視において真円形状となる。
【００４８】
帽子１の端部７と端部８とは、接着剤あるいは接着シール（シート）等を介して接着することによって、互いに連結されてもよい。
【００４９】
第４実施形態の帽子形成ロール体５０では、ミシン目５２が形成されているが、この構成は省かれてもよく、また、ミシン目５２に代えて、切取り用の目視可能な実線が描かれていてもよい。
【産業上の利用可能性】
【００５０】
本考案は、飲食店等の調理場で調理するコック（料理人）に使用される不織布製のコック用の帽子として利用できる。
【符号の説明】
【００５１】
１…帽子、２，５１…不織布製シート、３…帽胴部、４…下縁部、５…外面下部、６…帽帯部、７，８…端部、１１…外面、１２…内面、１３…露呈外面、１４…陰影画、１５…明部、１６…暗部、２０…谷折り部、２３，２４…山折り部、２５，２６…折り目、３１…下部、３２，３３…一端部、３４，３５…他端部、３６，３７…端縁、４０，４１…帽子形成シート、５０…帽子形成ロール体、５２…ミシン目。
【図１】
0003182685.tif 000003
【図２】
0003182685.tif 000004
【図３】
0003182685.tif 000005
【図４】
0003182685.tif 000006
【図５】
0003182685.tif 000007
【図６】
0003182685.tif 000008